(57)【要約】【課題】接続部に埃などが堆積することによる不具合の発生を抑制した照明器具を提供する。【解決手段】  下面が開口すると共に上面と外周面とに通気孔１ａが設けられた中空箱型に形成されるケース１と、下面にＬＥＤチップ３２１が実装されると共に上面にＬＥＤチップ３２１と電気的に接続されたレセプタクルコネクタ３２２が設けられたＬＥＤ基板３２を具備し、ＬＥＤ基板３２の上面がケース１の上面に対向する形でケース１内に収納されるＬＥＤユニット３と、ケース１内に配設されてレセプタクルコネクタ３２２と電気的に接続され、ＬＥＤユニット３に所望の点灯電力を供給する点灯回装置２と、ＬＥＤ基板３２の上面に対向し且つレセプタクルコネクタ３２２を覆う遮蔽部材３９とを備える。【選択図】図１
2012146495.tif 000002
【特許請求の範囲】
【請求項１】
一面が開口すると共に当該一面に対向する他面と外周面との少なくともいずれか一方に通気孔が設けられた中空箱型に形成されるケースと、
一面にＬＥＤチップが実装されると共に他面に前記ＬＥＤチップと電気的に接続された接続部が設けられたＬＥＤ基板を具備し、当該ＬＥＤ基板の他面が前記ケースの他面に対向する形で当該ケース内に収納されるＬＥＤユニットと、
前記ケース内に配設されて前記接続部と電気的に接続され、前記ＬＥＤユニットに所望の点灯電力を供給する点灯回路部と、
前記ＬＥＤ基板の他面に対向し且つ前記接続部を覆う遮蔽部材とを備えることを特徴とする照明器具。
【請求項２】
前記ＬＥＤユニットは、前記ＬＥＤ基板を複数有し、
複数の前記ＬＥＤ基板の各接続部間を接続する第一の接続線が設けられ、
前記遮蔽部材は、前記第一の接続線を覆うことを特徴とする請求項１記載の照明器具。
【請求項３】
前記ＬＥＤユニットは、前記接続部に接続する第二の接続線を介して前記点灯回路部と電気的に接続され、
前記遮蔽部材は、前記ＬＥＤ基板の他面に対向し且つ前記接続部を覆う遮蔽部と、当該遮蔽部の周縁から前記ＬＥＤ基板へ向かって形成される周壁とを備え、当該周壁には、前記第二の接続線を前記遮蔽部材の外へ導出するための開口が形成されることを特徴とする請求項１または２記載の照明器具。
【請求項４】
前記遮蔽部材は、前記開口が形成される側の前記遮蔽部の縁部から前記ケースの他面側へ向かって突出する突出片が形成されることを特徴とする請求項３記載の照明器具。
【発明の詳細な説明】
【技術分野】
【０００１】
本発明は、照明器具に関するものである。
【背景技術】
【０００２】
従来、ＬＥＤチップが表面に実装されて裏面にレセプタクルコネクタが実装されたＬＥＤ基板を具備したＬＥＤユニットと、当該ＬＥＤユニットへ点灯電力を供給するための点灯装置を収納したケースとを備えた照明器具がある（例えば特許文献１参照）。ここで、レセプタクルコネクタとＬＥＤチップとは、基板上に形成される回路パターンを介して電気的に接続されている。
【０００３】
ケースは、一面が開口した中空箱型に形成され、ケースの底面にＬＥＤ基板の裏面が対向する形でケース内にＬＥＤユニットが収納され、レセプタクルコネクタがケース内に露出する。
【０００４】
また、ケース内には、点灯装置と電気的に接続された接続ケーブルが設けられ、当該接続ケーブルには、レセプタクルコネクタに対して着脱自在なプラグコネクタが設けられる。そして、レセプタクルコネクタとプラグコネクタとが接続され、接続ケーブルを介して点灯装置からＬＥＤユニットへ点灯電力が供給されることで、ＬＥＤチップが点灯する。
【０００５】
ここで、上記照明器具では、ケース内の温度が上昇してＬＥＤチップの発光効率が低下することを防止するために、ケースの外周面に複数の通気孔を設けたものがある。
【先行技術文献】
【特許文献】
【０００６】
【特許文献１】特開平６−６０７０８号公報
【発明の概要】
【発明が解決しようとする課題】
【０００７】
上記通気孔を設けた照明器具では、通気孔を介してケース内に侵入した埃や異物等が、ケース内で露出しているレセプタクルコネクタとプラグコネクタとの接続部（コネクタ）近傍に堆積し、トラッキング現象などの不具合が発生する虞があった。
【０００８】
本発明は、上記事由に鑑みてなされたものであり、その目的は、接続部に埃などが堆積することによる不具合の発生を抑制した照明器具を提供することにある。
【課題を解決するための手段】
【０００９】
上記課題を解決するために本発明の照明器具は、一面が開口すると共に当該一面に対向する他面と外周面との少なくともいずれか一方に通気孔が設けられた中空箱型に形成されるケースと、一面にＬＥＤチップが実装されると共に他面に前記ＬＥＤチップと電気的に接続された接続部が設けられたＬＥＤ基板を具備し、当該ＬＥＤ基板の他面が前記ケースの他面に対向する形で当該ケース内に収納されるＬＥＤユニットと、前記ケース内に配設されて前記接続部と電気的に接続され、前記ＬＥＤユニットに所望の点灯電力を供給する点灯回路部と、前記ＬＥＤ基板の他面に対向し且つ前記接続部を覆う遮蔽部材とを備えることを特徴とする。
【００１０】
この照明器具において、前記ＬＥＤユニットは、前記ＬＥＤ基板を複数有し、複数の前記ＬＥＤ基板の各接続部間を接続する第一の接続線が設けられ、前記遮蔽部材は、前記第一の接続線を覆うことが好ましい。
【００１１】
この照明器具において、前記ＬＥＤユニットは、前記接続部に接続する第二の接続線を介して前記点灯回路部と電気的に接続され、前記遮蔽部材は、前記ＬＥＤ基板の他面に対向し且つ前記接続部を覆う遮蔽部と、当該遮蔽部の周縁から前記ＬＥＤ基板へ向かって形成される周壁とを備え、当該周壁には、前記第二の接続線を前記遮蔽部材の外へ導出するための開口が形成されることが好ましい。
【００１２】
この照明器具において、前記遮蔽部材は、前記開口が形成される側の前記遮蔽部の縁部から前記ケースの他面側へ向かって突出する突出片が形成されることが好ましい。
【発明の効果】
【００１３】
本発明では、接続部に埃などが堆積することによる不具合の発生を抑制した照明器具を提供することができるという効果がある。
【図面の簡単な説明】
【００１４】
【図１】本発明の実施形態における照明器具の分解斜視図を示す。
【図２】同上における照明器具が備える接続線の結線図を示す。
【図３】同上における照明器具の上面図を示す。
【図４】同上における照明器具の要部拡大図を示す。
【図５】同上における照明器具の一部破断した下面を示す。
【図６】同上における照明器具が備える遮蔽部材の三面図を示す。
【図７】同上における照明器具が備えるＬＥＤユニット３の上面図を示す。
【図８】同上における照明器具が備える接続線の結線図を示す。
【図９】同上における照明器具が備えるＬＥＤユニットから遮蔽部材を取り外した際の上面図を示す。
【発明を実施するための形態】
【００１５】
以下、本発明の実施の形態を図面に基づいて説明する。
【００１６】
（実施形態）
本実施形態の照明器具は、図１に示すように、天井面６に埋め込み設置される所謂埋め込み設置型の照明器具であって、下面が開口した中空箱型のケース１と、ケース１内に配設される点灯装置２と、ケース１の開口に覆設されるＬＥＤユニット３とを備える。なお、本実施形態では、埋め込み設置型の照明器具について説明を行うが、設置方法は埋め込み設置型に限定されず、天井直付型や、天井から吊り下げる吊り下げ型などであってもよい。
【００１７】
ケース１は、下面が開口した中空矩形箱型に形成され、その側面１１及び上面１２には複数の通気孔１ａが形成されている。また、ケース１の上面１２には、照明器具を埋め込み設置する際に用いられる挿通孔１ｂが２つ並設され、更に、一端が商用電源等の外部電源に接続された給電線Ｌ１、及び信号線Ｌ１１をケース１内へ導入する為の導入孔１ｃ、１ｅが形成されている。
【００１８】
また、ケース１の上面１２には、電源線Ｌ１が接続される電源端子台１０１と、信号線Ｌ１１が接続される制御端子台１０２とが配設されている。そして、ケース１は、天井面６に形成される開口６ａを介して天井内に収納され、天井内において下方に突設する一対の吊りボルト６１にケース１の挿通孔１ｂが挿通される。続いて、吊るボルト６１にワッシャ６２が挿通されて、当該吊りボルト６１にナット６３が螺着されることで、ケース１が天井内に固定される。その際、給電線Ｌ１が、ケース１の導入孔１ｃを挿通してケース１内に導入されて電源端子台１０１に接続され、信号線Ｌ１１が、導入孔１ｅを挿通してケース１内に導入されて制御端子台１０２に接続される。
【００１９】
また、互いに対向する１組の側面１１には、その内面に後述のキックばね４１が係止される一対の係止部１３がそれぞれ形成されている。係止部１３は、側面１１の内面に固定される矩形板状の固定片１３１と、固定片１３１の上縁の両端から垂設される一対の係止片１３２とから構成される。一対の係止片１３２は、互いに対向する側縁に切り欠き１３ａが各々形成されて略コの字状に形成されている。
【００２０】
また、ケース１の上面１２には、給電線Ｌ１に接続されて所望の点灯電力を生成する略直方体状の一対の点灯装置２が並設されている。点灯装置２は、ケース１の上面１２に形成されるねじ孔１ｄ（図３参照）にねじ締めされ、図２に示すように、電源端子台１０１、制御端子台１０２に、接続ケーブルＬ２，Ｌ３を介して各々接続されている。ここで、接続ケーブルＬ２において、電源端子台１０１近傍には、ノイズフィルタ５２が設けられている。また、点灯装置２には、先端にプラグコネクタ５１が設けられた接続ケーブルＬ４が接続されている。プラグコネクタ５１には、先端にアース端子５３が設けられたアース線Ｌ６が接続され、アース端子５３は、点灯装置２をケース１に固定するねじに共締めされる。
【００２１】
ＬＥＤユニット３は、図４に示すように、カバー３１と、ＬＥＤ基板３２と、反射板３３、３４と、枠体３５と、透光パネル３６と、放熱板３７と、補強部材３８と、遮蔽部材３９とを備える。
【００２２】
カバー３１は、下面が開口した略矩形箱型に形成され、複数（２×２＝４枚）のＬＥＤ基板３２を収納している。ＬＥＤ基板３２は、基板３２０と、基板３２０の下面に複数（５×５＝２５個））実装されるＬＥＤチップ３２１と、基板３２０に形成される図示しない回路パターンを介して各ＬＥＤチップ３２１と電気的に接続されるレセプタクルコネクタ３２２とを備える。レセプタクルコネクタ３２２は、カバー３１に形成される図示しない挿通孔を挿通し、カバー３１の上面側に露出する。ここで、４枚のＬＥＤ基板３２の内の２枚が有するレセプタクルコネクタ３２２は、カバー３１の底面の一方の側縁側をそれぞれ挿通し、残り２枚が有するレセプタクルコネクタ３２２は、カバー３１の底面の他方の側縁側をそれぞれ挿通している。
【００２３】
反射板３３は、図４，５に示すように、略矩形状に形成されてＬＥＤ基板３２の下面に覆設される。ここで、反射板３３には、各ＬＥＤチップ３２１と対向する箇所に下方から上方へ向かうに従って狭幅となる略四角推状の反射部３３１がそれぞれ形成されている。そして、反射部３３１の上端には矩形状の開口３３２が形成され、当該開口からＬＥＤチップ３２１が露出している。
【００２４】
反射板３４は、図４に示すように、上端に矩形状の開口３４ａを有した略矩形枠型に形成され内周縁から外周縁へ向かうに従って下方へ傾斜する傾斜面３４ｂが形成されている。そして、反射板３４は、カバー３１内へ収納され、開口３４ａが４つの反射板３３によって閉塞される。
【００２５】
枠体３５は、矩形枠型の枠部３５１と、枠部３５１の内縁から上方へ向けて立設される壁部３５２とから構成される。
【００２６】
透光パネル３６は、透光性材料から矩形板状に形成され、反射板３４の下端の開口３４ｃに覆設される。
【００２７】
放熱板３７は、矩形板状の基板３７１と、基板３７１の互いに対向する２組の側端の内の一方が略９０度それぞれ折曲されてなる一対の補強部３７２（図１参照）と、他方が折曲されて基板３７１と鋭角をなす一対の係止部３７３（図４参照）とを備える。そして、放熱板３７は、基板３７１が図示しないリベットによってカバー３１の上面に、かしめ固定される。また、基板３７１には、カバー３１の挿通孔と対向する箇所に挿通孔３７ａが形成され、当該挿通孔３７ａを挿通したレセプタクルコネクタ３２２が放熱板３７の上面側へ突出する。
【００２８】
補強部材３８は、図４に示すように、略矩形板状の基部３８１と、基部３８１の一方の長辺から延設されて基部３８１と鈍角を形成する延設部３８２と、延設部３８２の先端が折曲されて延設部３８２と鋭角を形成する折曲部３８３とから略くの字状に形成されている。基部３８１は、カバー３１の外周面と、枠体３５の壁部３５２の内周面との間に介装され、それぞれに図示しない挿通孔が形成されて当該挿通孔を挿通するかしめピンによってかしめ固定される。また、折曲部３８２が、放熱板３７の係止部３７３に係止されることで、補強部材３８の脱落、変形が防止されている。
【００２９】
また、補強部材３８には、後述の連結部材４２を強部材３８に係止するための図示しない挿通孔が形成され、更に、当該挿通孔の上方には、連結部材４２が補強部材３８に干渉することを防止するための矩形状の開口３８ａが形成されている。
【００３０】
連結部材４２は、図４に示すように、基部４２１と当該基部４２１の両端から各々下方へ延設される一対の延設部４２２とから略コの字状に形成されている。そして、一方の延設部４２２の先端は略Ｕ字状に折曲されて係止部４２２ａが形成され、他方の延設部４２２の先端は、一方の延設部４２２側へ向かって略９０度折曲されている。そして、捩コイルばねからなるキックばね４１の巻回部４１ａが、連結部材４２の基部４２１に挿通されることで、キックばね４１が連結部材４２に固定される。また、補強部材３８の挿通孔に連結部材４２の係止部４２２ａが挿通されることで、連結部材４２が補強部材３８に固定される。
【００３１】
キックばね４１は、巻回部４１ａの両端から互いに離れる方向へ一対の延設片４１１がそれぞれ延設され、延設片４１１の先端が略９０度折曲されることにより折曲部４１２が形成されている。
【００３２】
遮蔽部材３９は、図６に示すように、長尺矩形板状の遮蔽部３９１と、遮蔽部３９１の一方の長辺から下方へ延設されてなる延設片３９２と、遮蔽部３９１の各短辺から下方へ延設される側壁３９３とからなる。側壁３９３は、その下端から所定の隙間３９ａを介して外方向へ延設片３９４，３９５が各々突設される。ここで、遮蔽部３９１の他方の長辺側の延設片３９４は、延設片３９５と互いに対向する側縁から当該延設片３９５側へ突出する係止片３９４ａが形成されている。また、遮蔽部３９１の他方の長辺からは、上方へ向けて突出片３９６が延設されている。
【００３３】
そして、遮蔽部材３９は、図７に示すように、放熱板３７の基板３７１の一方の側縁側と、他方の側縁側とにそれぞれ配設され、放熱板３７の上面から突出する一対のレセプタクルコネクタ３２２が、遮蔽部材３９に上方から覆われる。続いて、放熱板３７の上面から膨出して面方向に沿って図示しない挿し込み孔が形成された膨出部３７ｂに、係止片３９４ａが挿し込まれることで遮蔽部材３９の位置決めがなされる。そして、延設片３９２に形成されるねじ孔３９ｂに、放熱板３７の補強部３７２に形成される図示しない挿通孔を挿通したねじが螺合し、延設片３９２と補強部３７２とが共締め固定される。
【００３４】
そして、各ＬＥＤ基板３２が、図８に示すように、後述の接続ケーブルＬ７及び上記接続ケーブルＬ４を介して点灯装置２に接続される。接続ケーブルＬ７は、プラグコネクタ５１に着脱自在に挿着されるレセプタクルコネクタ５２と、４本の接続線（第二の接続線）Ｌ７１と、４つのプラグコネクタ５３と、２つのプラグコネクタ５３間を接続する接続線（第一の接続線）Ｌ７２とからなる。各プラグコネクタ５３は、接続線Ｌ７１を介してレセプタクルコネクタ５２にそれぞれ接続される。
【００３５】
各プラグコネクタ５３は、ＬＥＤ基板３２のレセプタクルコネクタ３２２に着脱自在に挿着される。また、接続ケーブルＬ７には、先端にアース端子５６が設けられたアース線Ｌ８が接続され、アース端子５６は、放熱板３７にねじ留め固定される。
【００３６】
また、遮蔽部材３９は、延設片３９２と対向する側面が開口して開口３９ｂが形成され、当該開口３９ｂを介して接続ケーブルＬ７の接続線Ｌ７１が、遮蔽部材３９外へ導出される。つまり、開口３９ｂは、ＬＥＤユニット３の中心に対向して形成されており、接続ケーブルＬ７は、当該ＬＥＤユニット３の中心に向かって引き出されている。また、接続ケーブルＬ７は、図９に示すように、遮蔽部材３９から導出された箇所において固定バンド５４で固定され、当該固定バンド５４とレセプタクルコネクタ５２との間には、ノイズフィルタ５５が設けられる。これにより、接続ケーブルＬ７は、固定バンド６４よりもプラグコネクタ５３側が遮蔽部材３９によって覆われている。つまり、プラグコネクタ５３間を接続する接続線Ｌ７２は、遮蔽部材３９によって覆われている。
【００３７】
そして、ケース１の下面にＬＥＤユニット３が覆設されてプラグコネクタ５１とレセプタクルコネクタ５２とが接続され、各キックばね４１の延設片４１１が、ケース１における係止片１３２の切り欠き１３ａに係止されることで、ＬＥＤユニット３がケース１に固定される。その際、枠体３５の壁部３５２が開口６ａの内周面に対向し、枠部３５１の上面が開口６ａの周縁部に当接する。
【００３８】
以上のように本実施形態の照明器具は構成され、ＬＥＤ基板３２は、接続ケーブルＬ７，Ｌ４を介して点灯装置２から点灯電力が供給されてＬＥＤチップ３２１が点灯する。
【００３９】
上記構成からなる本実施形態の照明器具は、点灯時にケース１内が高温となって発光効率が低下することを防止するために、上記の通りケース１に開口１ａが複数形成されて、ケース１内の温度上昇を抑制している。ここで、ケース１内には、開口１ａを介して埃や異物等が侵入する虞がある。しかしながら、ケース１内に露出するレセプタクルコネクタ３２２は、その上方が遮蔽部材３９によって覆われていることから、ケース内に侵入した埃などは遮蔽部材３９の遮蔽部３９１上に堆積する。従って、レセプタクルコネクタ３２２の近傍に埃などが堆積することを抑制でき、レセプタクルコネクタ３２２とプラグコネクタ５３との接続部において、トラッキング現象などの不具合の発生を抑えることができ、照明器具の故障や不点灯を防止することができる。
【００４０】
また、遮蔽部材３９の遮蔽部３９１には、接続ケーブルＬ７が引き出される側の側縁から上方へ突出片３９６が突設されていることから、遮蔽部３９１の上面に堆積した埃が接続ケーブルＬ７が引き出される側へ落下することを防止することができる。従って、レセプタクルコネクタ３２２とプラグコネクタ５３との接続部側へ、埃が堆積することをより抑えることができ、コネクタ接続部でのトラッキング現象の発生をより確実に防止することができる。
【００４１】
また、レセプタクルコネクタ３２２には、遮蔽部材３９が覆設されていることから、施工時等においてレセプタクルコネクタ３２２に、例えば工具等が接触することが無く、当該レセプタクルコネクタ３２２の破損を防止することができる。
【符号の説明】
【００４２】
１  ケース
１ａ  通気孔
２  点灯装置（点灯回路部）
３  ＬＥＤユニット
３２  ＬＥＤ基板
３９  遮蔽部材
３９ｂ  開口
５３  プラグコネクタ
３２１  ＬＥＤチップ
３２２  レセプタクルコネクタ
３９１  遮蔽部
３９６  突出片
Ｌ７２  接続線（第一の接続線）
Ｌ７１  接続線（第二の接続線）
【図１】
2012146495.tif 000003
【図２】
2012146495.tif 000004
【図３】
2012146495.tif 000005
【図４】
2012146495.tif 000006
【図５】
2012146495.tif 000007
【図６】
2012146495.tif 000008
【図７】
2012146495.tif 000009
【図８】
2012146495.tif 000010
【図９】
2012146495.tif 000011